(57)【要約】      （修正有）【課題】学校で使用する教科書を電子機器化し、学習用途として使用すると共に児童、教師、保護者、学校の通信網を構築して、児童の身の安全を確保するＰＨＳ通信機能を備えた電子教科書を提供する。【解決手段】電子教科書は、折畳み可能な大型ディスプレイと、大型ディスプレイ筐体内部に配した緊急通報発信器から緊急信号を発信させるハンデイ操作体と、により構成される。大型ディスプレイ筐体内部には、データカードスロット、ＣＤ−ＲＯＭドライブ５が配備されており、教科書データは、データカード、ＣＤ−ＲＯＭに収録して使用する。この大型ディスプレイ筐体内部には、ＰＨＳ通信機器が配してあり、児童、教師、保護者、学校間の通信を可能とする。児童が危機に遭遇したときには、児童が、ハンデイ操作体を操作して、緊急通報発信器を作動させ、ＰＨＳ通信機器により、関係部署に通報するとともに、その位置情報をも通報して、児童の身の安全確保を図る。【選択図】図２
0003167064.tif 000002
【実用新案登録請求の範囲】
【請求項１】
PHS通信装置を機器の内部に装備した構造の電子教科書機器。
【請求項２】
携帯することのできるコンパクトサイズ仕様のPHS通信と移動体通信システムの携帯端末の双方の機能を有している通信装置を機器の内部に装備した構造とする請求項１記載の電子教科書機器。
【請求項３】
ハンデイ起動スイッチ構造体の左右両サイドに、電子教科書機器の危機緊急発信装置の起動ボタンスイッチを装備したゲーム機仕様のハンデイ起動スイッチ構造体。
【考案の詳細な説明】
【技術分野】
【０００１】
この考案は、PHS通信技術と電子辞書類の技術に関するものである。
【背景技術】
【０００２】
PHS通信技術と電子辞書、電子書籍類等で現在市場にあるものは、ウイルコム社のPHS携帯電話。カシオ社、シャープ社他の電子辞書。ソニー社の電子ブック（登録商標）。アプッル社のipad（登録商標）、アマゾン社のキンドル（登録商標）等がある。
【先行技術文献】
【特許文献】
【０００３】
【特許文献１】特になし。
【非特許文献】
【０００４】
【非特許文献１】特になし。
【０００５】
この考案の実用新案登録の請求の範囲に関係する文献はない。
【考案の概要】
【考案が解決しようとする課題】
【０００６】
課題は、学校で使用する教科書を電子機器化し、児童、教師、保護者、学校及び関係諸官庁との通信網を構築し、児童の身の安全確保に使用できる機器とする。また、学校構内にPHS通信システムの構築ができるようにすることである。
【課題を解決するための手段】
【０００７】
この考案は、電子教科書機器として使用するためカラー液晶大型ディスプレイを機器に装備している。
【０００８】
教科書データは、データカード、もしくは、CD-ROMに収録して対応する。
【０００９】
PHS通信装置を機器の内部に装備した構造として、児童、教師、保護者、学校間の相互通信を可能とする。
【００１０】
児童が危難に遭遇したときには、機器が危機緊急信号を発信し、告知するとともにPHS位置情報システムの作動により、児童の身の安全確保を図る。
【００１１】
この電子教科書機器をもって学校構内PHS通信システムの構築に対応する。
【考案の効果】
【００１２】
この考案の電子教科書機器を学校の授業に、また、学習に使用することにより、児童が学習により親しみ、理解度が深まる。
【００１３】
この電子教科書機器が装備しているPHS通信装置によって、児童、教師、保護者、学校間の交信により、情報交流の深まりが期待できる。
【００１４】
PHS通信装置の危機緊急信号の発信、作動によって、児童の危難に対応し、その身の安全確保に対処する。
【００１５】
この電子教科書機器をもって、学校構内PHS通信システムの構築を図る。
【図面の簡単な説明】
【００１６】
【図１】電子教科書機器内部構成の概念図。
【図２】電子教科書機器外部構成の概念図。
【図３】電子教科書機器の危機緊急発信装置のハンデイ起動スイッチ構造体の概念図。
【考案を実施するための形態】
【００１７】
児童が楽しく理解を深めるように学習することが電子教科書機器の果たす役割である。この機器が、この役割を果たすための構造であり、機器に備えている教科書データ再生機構及び各種アプリケーションソフト、また、それらの操作及び検索の機能を具備している。
機器の特徴として、電子教科書に適したカラー液晶の大型ディスプレイを装備している。
英語、音楽等の教科に対応して、マイク、イヤーホン、スピーカー構造も装備している。また、電池きれに対処するための予備電池が機器内に納められる構造とする。
教科書データは、データカードとCD-ROMに収録されて対応する。機器に収録されるコンテンツは、学校生活に於ける基本的なものを収録している。例えば、国旗画像と国歌、日本国憲法、児童憲章等であり、校章、校旗、校歌、校則、学校組織図、行事予定表、時間割等である。学校都合により、データカード、CD-ROMで対応することもできる。
電子教科書機器は、児童の成長、学年の進みに対応して機構及び機能が拡充された機種に変わっていく。中学生、高校生には、彼らに適応した機構、機能である。この電子教科書に具備しているPHS通信装置を機能させて、マルチユースな機器として使用することができる。児童及び学校関係だけにとどまらず、ビジネスユース、ケアユース、ホームユース等にも使用できる。この電子教科書機器は、衝撃に強い堅牢な外装で出来ている。
【００１８】
この電子教科書機器にPHS通信装置を装備することにより、（１）PHS通信の位置情報と通報機能によって、児童の登下校途中の危難の遭遇等に関して、危機緊急の通報、発信、位置情報により、児童の身の安全確保に効果期待ができる。これらの危機緊急通報の発信装置は、電子教科書機器のパッケージカバーが閉じられると自動的にセットされ、児童が手にしている起動スイッチによって、スイッチオンする。そして、関係各部署に、通報され、位置情報もともに伝えられ、緊急事態に対処する。（２）児童、教師、保護者、学校間の情報交流が深まる。（３）学校構内のPHS通信システムの構築に対応する。（４）電子教科書機器が装備しているPHS通信装置のメール送信に関しては、低学年児童に対する配慮をしている。通信内容を選択して、パネルタッチでできるようにしている。
メールボタンを押すと、メール画面が表示され、あて先を選びタッチする、メール伝言リストの中から該当する文言を選びタッチする。そして、送信ボタンにタッチしてメール送信を完了する。（５）電子教科書機器を携帯して使用できるコンパクトなサイズ仕様として、PHS通信と移動体通信システムの携帯端末の双方の機能を有している通信装置を電子教科書の内部に装備した構造の電子教科書機器とする。（６）児童が手にする危機緊急通報の発信装置に起動信号を送信するハンデイ起動スイッチ構造体は、無線送信のスイッチ機能であり、児童の危難遭遇の時にはハンデイ起動スイッチ構造体の押しボタンスイッチを押すことにより作動して電子教科書機器の危機緊急通報を各関係部署宛に発信する。児童が手にしている起動スイッチの構造体は、児童が喜んで使う、算数計算ゲーム機、俳句創作ゲーム機等とする。
【符号の説明】
【００１９】
１    PHS通信装置
２    危機緊急発信起動装置
３    電池
４    予備電池
５    CD-ROM差しこみ部
６    データカード差しこみ部
７    電子教科書機構機能部
８    大型ディスプレイ
９    イヤホーンジャック
１０  電源ボタン
１１  マイク
１２  音量調節ボタン
１３  ホームボタン
１４  ドットコネクタ
１５  メールボタン
１６  危機緊急発信起動装置のセット装置
１７  マイクボタン
１８  スピーカー
１９  ハンデイ起動スイッチ構造体
２０  起動ボタンスイッチ
【図１】
0003167064.tif 000003
【図２】
0003167064.tif 000004
【図３】
0003167064.tif 000005
【手続補正書】
【提出日】平成23年1月27日(2011.1.27)
【手続補正１】
【補正対象書類名】明細書
【補正対象項目名】全文
【補正方法】変更
【補正の内容】
【考案の詳細な説明】
【技術分野】
【０００１】
この考案は、PHS通信機能を備えた電子辞書類に関するものである。
【背景技術】
【０００２】
PHS通信機器、電子辞書、電子書籍類で現在市場にあるものは、ウイルコム社のPHS携帯電話、カシオ社、シャープ社、パナソニック社等の電子辞書、ソニー社の電子ブック（登録商標）等がある。
【先行技術文献】
【特許文献】
【０００３】
【特許文献１】特になし。
【非特許文献】
【０００４】
【非特許文献２】特になし。
【考案の概要】
【考案が解決しようとする課題】
【０００５】
課題は、学校において使用する教科書をデータカード、または、CD-ROMに収録し、児童、教師、保護者、学校間の連絡事項等を通信手段で効率化するとともに、児童が危機、危難に遭遇したとき、児童の身の安全確保する通報機能を備えた電子機器を提供することである。また、学校内にPHS通信設備を配することも有用ある。
【課題を解決するための手段】
【０００６】
この考案の電子教科書を構成する機器は、折畳み可能な２つのカラー液晶の大型ディスプレイと、大型ディスプレイ筐体内部に配した緊急通報発信器から緊急信号を発信させるスイッチを備えたハンデイ操作体と、により構成される。
【０００７】
大型ディスプレイ筐体内部には、データカードスロット、CD-ROMドライブが配備されており、教科書データは、データカード、CD-ROMに収録して使用する。教科書データには、国旗及び国歌、国花、国鳥等、憲法、児童憲章、校旗、校章、校則、諸規則等が含まれている。また、市販されている各種データが記録されたデータカード、CD-ROMも使用できる。
【０００８】
この大型ディスプレイ筐体内部には、PHS通信機器が配してあり、児童、教師、保護者、学校間の通信を可能とする。
【０００９】
児童が危機に遭遇したときには、児童が、ハンデイ操作体を操作して、緊急通報発信器を作動させ、PHS通信機器により、関係部署に通報するとともに、その位置情報をも通報して、児童の身の安全確保を図る。
【００１０】
教科書データとしては、使用する児童に対応した学習参考の辞典、参考書、副読本等のデータである。
【考案の効果】
【００１１】
電子教科書を使用することにより授業、学習が楽しくなり、理解度の深まりが期待でき、学習効果の向上が図れる。
【００１２】
各都道府県、行政単位の教育委員会、私立校においては学校が選定、採択した教科書データをデータカード、CD-ROMに収録して、カードスロット、ドライブにセットして使用する。
【００１３】
電子教科書に配したPHS通信機器により、児童が発信する『いま、帰るコール』等にて保護者が安心する。児童、教師、保護者、学校間の情報交流の深まりが期待できる。
【００１４】
電子教科書に配備されている緊急通報発信器により、関係各部署は正確な情報を得ることができる。それにより、迅速に適確な対処をすることができる。但し、緊急通報をするときは、電子教科書が児童、生徒とともにあることが条件である。
【００１５】
必要なときに学校内のPHS通信設備を配することができる。
【００１６】
教科書データにより、児童、生徒の『わからない』ことを検索し、解決することができる。また、知りたいときにその情報を確認することができる。
【図面の簡単な説明】
【００１７】
【図１】電子教科書の全体イメージ図。
【図２】電子教科書の使用状態を示す外面図。
【図３】電子教科書の内部構成図。
【図４】緊急通報の動作流れ図。
【図５】ハンデイ操作体の正面および断面図。
【図６】『今、帰るコール』表示画面の図。
【図７】電子教科書の折畳んだ状態を示す外観図。
【考案を実施するための形態】
【００１８】
電子教科書は、３つの機能構造でできている。１、学校において、授業に使用する教科書機能。２、緊急通報と通信に使用するためにPHS通信機器による情報通信機能。３、児童が学習に使用する学習参考書機能である。
【００１９】
電子教科書は、カラー液晶で出来た２つの大型ディスプレイを備えた筐体で構成されている。大型ディスプレイの一方は教科書用、他方は学習参考書用である。
【００２０】
大型ディスプレイ筐体内部には、CPU、記憶部、制御部、入出力制御部等で構成されるコンピュータ、別途に設置した収録部、データカードスロット、CD-ROMドライブ、PHS通信機器と、が設置されている。筐体とは別にハンデイ操作体がある。ハンデイ操作体内部には２個の電池ボックスが設置されている。
【００２１】
カラー液晶の大型ディスプレイ筐体外面には、機器を起動、操作する、電源ボタンスイッチ、音量調節のシーソボタン、ヘッドホンジャック、マイクロホン、USBケーブル用コネクター、教科書データ切替え用のキー、入力モードキー、カーソルキー、その他の必要な操作キー、音声再生速度調節キー、が設置されている。数字キー、文字キー(かな文字)、も設置されている。英語文字は画像表示としてタッチペンにてタッチ操作で入力する。これらのキー及びタッチペンによるタッチ操作でアイコンを選択操作して、電子教科書を活用する。
【００２２】
大型ディスプレイ筐体内部に配したPHS通信機器は、児童、教師、保護者、学校間の通信、連絡に使用し、相互の情報交流を高めていくことができる。
例をあげれば、低学年児童が発信する『いま、帰るコール』では、そのメールが全てタッチ操作で発信できるようになっており、保護者に対して安心を提供できる。
もし児童が危機に遭遇したとき、児童が手に持つハンデイ操作体を操作して大型ディスプレイ筐体に配したＰＨＳ通信機器にて緊急信号を発信し、関係部署に通報するとともに、PHSの位置情報測位機能にて位置情報をも通信し、児童の身の安全確保を迅速にできる。
この電子教科書を有用に活用するため、必要に応じて、学校内にPHS通信設備を配することが望ましい。
【００２３】
各ディスプレイおよび内部機器の電源は、電池であり、２個からなる電池ボックス構造である。ファーストボックスの電池残量が無くなってきたときには、電池残量無しの警告表示とともに自動的にセカンドボックスの電池にきりかわり、機器の作動、動作は中断されることなく、使用を続けることができる。
【００２４】
児童、生徒の授業、学習に関するデータ、コンテンツは、電子教科書の収録部に記録されており、国旗画像、国歌(音声を含む)、国花、国鳥等、憲法、児童憲章等、日本国国民として知悉していなければならない基本的事項等、が収録されている。教科書データ、コンテンツに関しては、各都道府県市町村行政単位教育委員会、私立校においては選定採択された教科書に基づき、科目に応じて、データカード、または、CD-ROMに収録されて、これをデータカードスロット、CD-ROMドライブに装着して、活用する。
希望するデータ、コンテンツをパソコンとUSBケーブルで接続して、電子教科書の収録部に追加収録することもできる。
【００２５】
電子教科書は、児童、生徒（幼児用、小学校低学年用、小学校高学年用、中学、高校生用）または一般用、高齢者用というように使用者に配慮した形状とすることができる。
【００２６】
学習中において発生する『わからない』に対応して、単語、語句、数式、発音等の箇所をタッチペンでなぞり、キータッチ、アイコンタッチで調べることができる。両ディスプレイが連携、動作して、解答をディスプレイ画面に表示、音声はヘッドホンで聞くことができる。この動作は、ソフトウエアにより行うものとする。また、手書きによる検索機能もついている。
【００２７】
電子教科書において、学校からメールで送信されてくる追加規則や文言の変更等が配信されたときには、児童、生徒が一読、タッチ操作によって、電子教科書内部の収録部に収録する。また、前記した『いま、帰るコール』メールは全てタッチ操作でできる。これらのプログラムが電子教科書のソフトウエアに組み込まれており、使用する児童、生徒にとって満足できる動作が可能となる。
【００２８】
電子教科書の緊急通報は、授業、学習を終えて、電子教科書を折畳み閉じた状態でのみ行われる。電子教科書を閉じてロックしたとき、ロック部に設けたスイッチにより、自動で緊急通報発信機器が信号待ち受け状態となり、電子教科書と別体のハンディ操作体のボタンを操作して、危機に遭遇したことを、ＰHS通信機器が緊急自体であることを関係各部署に通報するとともに、PHSの位置情報測位機能が作動して、位置情報をも通報し、児童、生徒の身の安全確保の手配がされる(図４参照)。
【００２９】
児童、生徒が所持するハンデイ操作体の押しボタンには、デジタル時計が組み込まれている。ボタンを押して、無線信号が送られ、緊急通報発信機能が作動しPHS通信機器が通報する。押しボタンに組み込まれているデジタル時計は、同じ時刻を２個表示しており、押しボタンが押されると２個の表示時刻の１個がその時刻に停止する仕組みになっている。
【００３０】
また、電子教科書は、大型ディスプレイを備えたディスプレイ筐体部のみを電子教科書として活用してもよい。
【００３１】
電子教科書の置き場所から遠く離れた場所で緊急通報する場合には、電子教科書内部のPHS発信機器を親機として、児童、生徒が携帯するハンディ操作体を子機とすることが考えられる。
【符号の説明】
【００３２】
１    電子教科書
２    （教科書用）ディスプレイ筐体
３    （学習参考用）ディスプレイ筐体
４    ハンデイ操作体
５    ディスプレイ
６    CPU
７    記憶装置
８    制御装置
９    入力制御装置
１０  出力制御装置
１１  データカードスロット
１２  CD-ROMドライブ
１３  画像表示出力装置
１４  音声再生装置
１５  収録部
１６  PHS通信機器
１７  無線信号受信器
１８  緊急通報発信器
１９  電池ボックス
２０  電源スイッチ
２１  音量調節キー
２２  マイクロホン
２３  ヘッドホンジャック
２４  コネクター
２５  切替え機能キー
２６  入力キー
２７  カーソルキー
２８  キー
２９  キー
３０  音声速度調節キー
３１  数字キー
３２  文字キー
３３  選択キー
３４  アイコン
３５  アンテナ
３６  時計
３７  無線発信器
３８  接点
３９  電池
４０  スプリング
４１  ストラップ
４２  電子教科書を折畳むときのロック
【手続補正２】
【補正対象書類名】実用新案登録請求の範囲
【補正対象項目名】全文
【補正方法】変更
【補正の内容】
【実用新案登録請求の範囲】
【請求項１】
折畳み可能な２つのカラー液晶の大型ディスプレイと、大型ディスプレイ筐体内部に配した緊急通報発信機器から緊急信号を発信させるスイッチを備えたハンデイ操作体と、により構成したことを特徴とするＰＨＳ通信機能を備えた電子教科書。
【手続補正３】
【補正対象書類名】図面
【補正対象項目名】全図
【補正方法】変更
【補正の内容】
【図１】
0003167064.tif 000006
【図２】
0003167064.tif 000007
【図３】
0003167064.tif 000008
【図４】
0003167064.tif 000009
【図５】
0003167064.tif 000010
【図６】
0003167064.tif 000011
【図７】
0003167064.tif 000012